(57)【特許請求の範囲】
【請求項１】
壁や天井等の固定部から表示体を吊り下げて掲示するための表示体の掲示装置であって、
表示体を吊り下げる支持部材と、
固定部に掛けるための係合部を有する第１連結部材と、
第１連結部材に対して着脱自在に連結されて前記第１連結部材との間で支持部材を挟んで保持する第２連結部材を備え、
前記支持部材は、第１線状部材と第２線状部材から成ると共に、夫々の両端部に表示体を吊り下げるためのフックを有し、
前記第１連結部材及び第２連結部材は、第１線状部材及び第２線状部材を着脱自在に保持する保持部を有すると共に、第１線状部材及び第２線状部材を交差した状態で保持することを特徴とする表示体の掲示装置。
【請求項２】
上記保持部は、上記第１連結部材に設けられて上記第１線状部材を着脱自在にはめ込んで保持する第１はめ込み保持部と、上記第２連結部材に設けられて上記第２線状部材を着脱自在にはめ込んで保持する第２はめ込み保持部と、を有していることを特徴とする請求項１に記載の表示体の掲示装置。
【請求項３】
上記第１はめ込み保持部は、一対の第１突起部を有し、上記一対の第１突起部の間に上記第１線状部材が着脱可能にはめ込まれて保持され、上記第２はめ込み保持部は、一対の第２突起部を有し、上記一対の第２突起部の間に上記第２線状部材が着脱可能にはめ込まれて保持されることを特徴とする請求項２に記載の表示体の掲示装置。
【請求項４】
上記第１はめ込み保持部は、上記第１連結部材に設けられて上記第１線状部材を通すための第１通し穴を有しており、上記第２はめ込み保持部は、上記第２連結部材に設けられて上記第２線状部材を通すための第２通し穴を有していることを特徴とする請求項３に記載の表示体の掲示装置。
【請求項５】
上記第１連結部材と上記第２連結部材は、爪部と凹部とのかみ合わせにより着脱可能に連結されていることを特徴とする請求項１〜４のいずれか１項に記載の表示体の掲示装置。
【請求項６】
上記第１連結部材と上記第２連結部材を連結する際に、上記第１連結部材と上記第２連結部材を位置合わせするためのマーカを有していることを特徴とする請求項１〜５のいずれか１項に記載の表示体の掲示装置。
【発明の詳細な説明】
【技術分野】
【０００１】
本発明は、広告や標識等の表示体を掲示するために用いられる表示体の掲示装置に関するものである。
【背景技術】
【０００２】
一般に、広告や標識等の表示体を掲示する場合には、例えばのぼりが用いられる。こののぼりは、支柱（竿）と、この支柱の上端部と下端部にそれぞれ連結されたアームを備え、これらのアームの間には、一枚の短冊状の布等の表示体が取り付けられる（例えば、特許文献１参照）。
【特許文献１】実用新案登録第３０９２０３７号公報
【発明の開示】
【発明が解決しようとする課題】
【０００３】
ところで、従来のこの種ののぼりは、１枚の表示体を掲示できるだけであり、１つのぼりを用いて複数枚の表示体を同時に吊り下げて表示することは困難であった。また、のぼりの組み立ては簡単であることが望まれる。
【０００４】
本発明は、上記従来の課題に着目して成されたもので、壁や天井等の固定部から表示体を吊り下げて掲示する装置であって、簡単に組み立てることができ、必要に応じて複数の表示体を同時に吊り下げて掲示することができる表示体の掲示装置を提供することを目的としている。
【課題を解決するための手段】
【０００５】
本発明は、上記目的を達成すべく鋭意検討した結果、第１連結部材と第２連結部材を着脱自在に連結することで支持部材を挟んで保持して、この支持部材に表示体を吊り下げるようにすることで、上記目的を達成できることを見出し、本発明に至った。
【０００６】
即ち、本発明の表示体の掲示装置は、壁や天井等の固定部から表示体を吊り下げて掲示するための表示体の掲示装置であって、表示体を吊り下げる支持部材と、固定部に掛けるための係合部を有する第１連結部材と、第１連結部材に対して着脱自在に連結されて前記第１連結部材との間で支持部材を挟んで保持する第２連結部材を備え、前記支持部材は、第１線状部材と第２線状部材から成ると共に、夫々の両端部に表示体を吊り下げるためのフックを有し、前記第１連結部材及び第２連結部材は、第１線状部材及び第２線状部材を着脱自在に保持する保持部を有すると共に、第１線状部材及び第２線状部材を交差した状態で保持することを特徴とする。
【０００７】
本発明の表示体の掲示装置は、好ましくは上記保持部は、上記第１連結部材に設けられて上記第１線状部材を着脱自在にはめ込んで保持する第１はめ込み保持部と、上記第２連結部材に設けられて上記第２線状部材を着脱自在にはめ込んで保持する第２はめ込み保持部と、を有している。この場合には、第１線状部材と第２線状部材は、それぞれ第１連結部材と第２連結部材に分けてはめ込んで交差した状態で簡単に保持できる。
【０００８】
本発明の表示体の掲示装置は、好ましくは上記第１はめ込み保持部は、一対の第１突起部を有し、上記一対の第１突起部の間に上記第１線状部材が着脱可能にはめ込まれて保持され、上記第２はめ込み保持部は、一対の第２突起部を有し、上記一対の第２突起部の間に上記第２線状部材が着脱可能にはめ込まれて保持される。この場合には、第１線状部材と第２線状部材は、それぞれ第１連結部材の一対の第１突起部と第２連結部材の一対の第２突起部に分けてはめ込んで簡単に着脱自在に保持できる。
【０００９】
本発明の表示体の掲示装置は、好ましくは上記第１はめ込み保持部は、上記第１連結部材に設けられて上記第１線状部材を通すための第１通し穴を有しており、上記第２はめ込み保持部は、上記第２連結部材に設けられて上記第２線状部材を通すための第２通し穴を有している。この場合には、第１線状部材は第１はめ込み保持部の第１通し穴を用いてより確実に位置決めができるとともに、第２線状部材は第２はめ込み保持部の第２通し穴を用いてより確実に位置決めができる。
【００１０】
本発明の表示体の掲示装置は、好ましくは上記第１連結部材と上記第２連結部材は、爪部と凹部とのかみ合わせにより着脱可能に連結されている。この場合には、爪部と凹部を用いて第１連結部材と第２連結部材は確実かつ簡単に連結してあるいは分解ができる。
【００１１】
本発明の表示体の掲示装置は、好ましくは上記第１連結部材と上記第２連結部材を連結する際に、上記第１連結部材と上記第２連結部材を位置合わせするためのマーカを有している。この場合には、使用者が第１連結部材と第２連結部材の位置合わせ作業をする際に、マーカを目視することで作業が確実に行え、第１連結部材と第２連結部材の組み立て作業時間が短縮化される。
【発明の効果】
【００１２】
本発明によれば、壁や天井等の固定部から表示体を吊り下げて掲示するに際して、第１連結部材と第２連結部材を着脱自在に連結することで支持部材を挟んで保持して、この支持部材に表示体を吊り下げるようにすることで、簡単に組み立てることができ、必要に応じて複数の表示体を同時に吊り下げて掲示することができる。
【発明を実施するための最良の形態】
【００１３】
以下、本発明を実施形態により詳しく説明するが、本発明は以下の実施形態に限定されるものではない。
【００１４】
（実施形態１）
図１は、本発明の表示体の掲示装置の好ましい実施形態１を示している斜視図であり、複数の表示体を実際に同時に吊り下げた状態で複数の表示体を掲示している。図２は図１の表示体の掲示装置の構造例を示す斜視図である。
【００１５】
図１に示す例では、表示体の掲示装置１は、表示体の吊り下げ具あるいは展示具と呼ぶこともでき、例えば２枚の表示体１００を同時に吊り下げた状態で保持することで、２枚の表示体１００を掲示している。
表示体の掲示装置１は、第１連結部材１１と、第２連結部材１２とを有しており、表示体の掲示装置１は、例えば固定部２００側に対して吊り部材２０１を用いて、着脱自在に吊っておくことができる。この状態で、表示体の掲示装置１の第１連結部材１１と第２連結部材１２は、支持部材２０を用いて複数の表示体１００を同時に吊り下げて掲示するが、固定部２００は、例えば建物の天井などであり、固定部２００の種類は特に限定はされない。
【００１６】
まず表示体１００について説明すると、表示体１００の材質は、例えばシート状の布、プラスチック等の素材で作られたものであり、広告や標識として使われ、例えばＰＯＰ用に使用することも可能である。複数の表示体１００には、同じ内容の広告や標識が記載されていても良いし、異なる内容が記載されていても良い。表示体１００の形状は長方形や正方形や楕円等、特に限定されるものではない。また、表示体１００は薄板状のものでも、ある程度厚みがある立体形状のものでも良い。
【００１７】
図３と図４は、第１連結部材１１と第２連結部材１２を一方向から見た斜視図と、第１連結部材１１と第２連結部材１２を一方向とは反対の方向から見た斜視図である。図５は、第１連結部材１１と第２連結部材１２の分解斜視図であり、図６は、支持部材２０の第１線状部材２１と第２線状部材２２をそれぞれはめ込んだ状態の第１連結部材１１と第２連結部材１２を示す分解斜視図である。
【００１８】
図１と図２に示す第１線状部材２１と第２線状部材２２について先に説明すると、第１線状部材２１と第２線状部材２２は、支持部材２０の一例であり共に例えば金属ワイヤーであり、具体的にはステンレスワイヤーである。第１線状部材２１と第２線状部材２２の長さは、表示体１００の大きさに合わせて選択されるが、同じであっても異なっても良い。第１線状部材２１と第２線状部材２２の長さはこの例は、同じであり、両端部には略Ｃ字型のフック２３を有している。
【００１９】
図１の例では、１つの表示体１００が、第１線状部材２１の一端部のフック２３と第２線状部材２２の一端部のフック２３に対して、例えば吊り糸２４を用いて着脱自在に取り付けられている。もう１つの表示体１００が、第１線状部材２１の他端部のフック２３と第２線状部材２２の他端部のフック２３に対して、例えば吊り糸２４を用いて着脱自在に取り付けられている。このフック２３の形は、他の形であっても勿論かまわない。
【００２０】
図３〜図６に示す第１連結部材１１と第２連結部材１２は、共に断面がＵ字型の円盤状の部材であり例えばプラスチック又は金属により作られている。第１連結部材１１と第２連結部材１２は着脱自在に互いに固定することで、第１線状部材２１と第２線状部材２２を着脱自在に挟み込んで保持する。  
図７（Ａ）と図７（Ｂ）は第１連結部材１１の２つの方向から見た側面図であり、図８（Ａ）と図８（Ｂ）は第１連結部材１１の平面図と内面図である。図５〜図８に示す第１連結部材１１は、係合部３０、４つの凹部４０、第１はめ込み保持部５１、位置合わせ用のマーカ５２，５３を有している。
【００２１】
係合部３０は、第１連結部材１１の表面側（上面側）の中心位置において突出して形成されているほぼＵ字型の部材である。表示体の掲示装置１は、係合部３０を図１に示すように固定部２００側の吊り部材２０１に対して、着脱自在に掛けることにより、吊り下げて保持するようになっている。
図８の４つの凹部４０は、第１連結部材１１の外周部において、例えば９０度ごとの角度で離して形成されている。２つの第１通し穴４１は、第１連結部材１１の外周部において、１８０度の角度で離して形成されている。
【００２２】
第１はめ込み保持部５１は、好ましくは２組の一対の第１突起部８０と２つの第１通し穴４１を有している。図８（Ｂ）に示すように、２組の一対の第１突起部８０は、第１連結部材１１の内面側において突出して形成されている。２つの通し穴４１は、第１連結部材１１の円周縁から切り欠いたＵ字型の溝である。第１はめ込み保持部５１は、図７と図８に示すように、２対の第１突起部８０で構成されている。２対の第１突起部８０は、第１線状部材２１を着脱可能にはめ込んで保持し、この時に２つの第１通し穴４１には第１線状部材２１が通る。
【００２３】
２組の一対の第１突起部８０は、図８に示すように係合部３０が形成されている位置の両側に位置されている。このように２組みの一対の第１突起部８０が設けられているのは、第１線状部材２１をその自重に抗してより確実に支えるためであるが、２組ではなく１組の一対の第１突起部８０を設けるようにしても良い。
位置合わせ用のマーカ５２，５３は、図３と図４に示すように第１連結部材１１の外周部において形成されているリブ状の突起物である。マーカ５２は１つであるが、マーカ５３は２つある。マーカ５２，５３は１８０度反対方向の位置にある。
【００２４】
これに対して、図９は第２連結部材１２の内面図と底面図を示しており、図１０は第２連結部材１２の２つの側面図とＢ−Ｂ断面図を示している。図５，図６，図９，図１０に示すように、第２連結部材１２は、４つの爪部６０、第２はめ込み保持部７１、位置合わせ用のマーカ７２，７３を有している。
第１はめ込み保持部５１と第２はめ込み保持部７１は、第１線状部材２１と第２線状部材２２をこの例では９０度で交差させた状態で保持するための保持部を構成している。
【００２５】
４つの爪部６０は、第２連結部材１２の外周部において、９０度ごとの角度で離して形成されている。２つの第２通し穴６１は、第２連結部材１２の外周部において、１８０度の角度で離して形成されている。図６に示すように、４つの爪部６０は、４つの凹部４０に対応した位置にあり、図６の矢印で示すように、各爪部６０は対応する凹部４０に対して着脱自在にかみ合って固定される。
【００２６】
図６の第２はめ込み保持部７１は、一対の第２突起部９９と２つの通し穴６１を有している。図６と図９（Ａ）に示すように、一対の第２突起部９９は、第２連結部材１２の内面側（上面側）の中央において突出して形成されている。２つの通し穴６１は、第２連結部材１２の円周縁から切り欠いたＵ字型の溝である。２つの第２突起部９９は、第２線状部材２２を着脱可能にはめ込んで保持し、この時に２つの第２通し穴６１には第２線状部材２２が通る。二対の第１突起部８０は、図８に示すように係合部３０が形成されている位置の両側に位置されている。
【００２７】
位置合わせ用のマーカ７２，７３は、図３と図４に示すように第２連結部材１２の外周部において形成されているリブ状の突起物である。マーカ７２は１つであるが、マーカ７３は２つある。マーカ７２，７３は１８０度反対方向の位置にある。そして、マーカ５２とマーカ７２は対応した位置にあり、マーカ５３とマーカ７３は対応した位置にある。
これにより、第１連結部材１１と第２連結部材１２は、円周方向についての位置合わせを使用者が目視で確実にすることができ、第１連結部材１１と第２連結部材１２の連結位置の間違えがなくなり連結作業が確実にでき、作業時間が短縮する。。
【００２８】
次に、上述した表示体の掲示装置１の使用例について説明する。
図６と図７に示すように、第１線状部材２１は、第１連結部材１１の２組の一対の第１突起部８０の間にはめ込まれる。第１線状部材２１が第１連結部材１１の２組の一対の第１突起部８０の間にはめ込まれた状態では、第１線状部材２１は２つの第１通し穴４１を通っていて、第１線状部材２１の位置は第１突起部８０と第１通し穴４１により固定される。
【００２９】
同様にして、図６と図９に示すように、第２線状部材２２は、第２連結部材１２の一対の突起部９９の間にはめ込まれる。第２線状部材２２が第２連結部材１２の第２突起部９９の間にはめ込まれた状態では、第２線状部材２２は２つの第２通し穴６１を通っていて、第２線状部材２２の位置は第２突起部９９と第２通し穴６１により固定される。
【００３０】
そして、図６の矢印で示すように、第２連結部材１２の４つの爪部６０が、第１連結部材１１の凹部４０にそれぞれはめ込むことで連結されて、互いに固定される。この時には、図３と図４に示すように、位置合わせ用マーカ５２，７２が位置合わせされるとともに、位置合わせ用マーカ５３，７３が位置合わせされる。これにより、第１連結部材１１と第２連結部材１２は、円周方向に関して確実に位置合わせをしながら、対応する爪部６０を凹部４０に対して確実にはめ込むことができる。
【００３１】
第１連結部材１１と第２連結部材１２が上述した要領で連結して固定されると、第１線状部材２１は、第１突起部８０の間にはめ込まれしかも２つの第１通し穴４１を通っていて、第１線状部材２１は図６に示す第２連結部材１２の外周部の上縁部１２２により支持されているので、第１線状部材２１の位置は上下方向について更に確実に固定されることになる。第２線状部材２２は、第２突起部９９の間にはめ込まれしかもの第２通し穴６１を通っていて、第２線状部材２２は図６に示す第１連結部材１１の外周部の下縁部１１１により支持されているので、第２線状部材１２の位置は上下方向について更に確実に固定されることになる。
【００３２】
このようにして第１連結部材１１と第２連結部材１２が連結されると、第１線状部材２１と第２線状部材２２は、十字型で９０度の角度で交差して固定されている。第１線状部材２１は第２線状部材２２の上部に位置しており、ともに水平に保持され、第１線状部材２１と第２線状部材２２の合計４つの端部は第１連結部材１１と第２連結部材１２から露出している。つまり、図１と図２に示すように第１線状部材２１の中心部分と第２線状部材２２の中心部分は、第１連結部材１１と第２連結部材１２により被覆されながら固定されている。
【００３３】
このため、第１線状部材２１の残部と第２線状部材２２の残部は、第１連結部材１１と第２連結部材１２の間から四方に向けて突出している。第１線状部材２１の残部の突出長さと第２線状部材２２の残部の突出長さは、表示体１００の大きさや表示体１００を掲示する間隔に応じて任意に設定する。
【００３４】
表示体の掲示装置１を使用する際に、例えば図１に示すように２枚の表示体１００を吊り下げて掲示する場合には、固定部２００の吊り部材２０１に対して、第１連結部材１１の係合部３０を着脱自在に掛ける。表示体の掲示装置１の第１線状部材２１と第２線状部材２２は、図１に示す要領で２枚の表示体１００を吊り糸２４を用いて吊り下げて掲示することができる。
図１の例では、一方の表示体１００が第１線状部材２１と第２線状部材２２の各一端部の２つのフック２３を用いて吊り下げられており、他方の表示体１００が第１線状部材２１と第２線状部材２２の各他端部の２つのフック２３を用いて吊り下げられている。
【００３５】
図１１に示す実施形態は、図１に示す実施形態とは少し異なり、表示体の掲示装置１の第１線状部材２１と第２線状部材２２は、図１１に示す要領で４枚の表示体１００を例えば吊り糸２４を用いて吊り下げて掲示することができる。図１１の例では、４つの表示体１００が第１線状部材２１と第２線状部材２２の合計４つのフック２３を用いて吊り下げられている。この他の使用例としては、表示体の掲示装置１１は、１枚の表示体１００の掲示あるいは３枚の表示体１００の掲示を任意に行うことができる。
なお、第１連結部材１１と第２連結部材１２を分解する場合には、第２連結部材１２の爪部６０を第１連結部材１１の凹部４０からはずして、その後第１線状部材２１を第１連結部材１１からはずし、第２線状部材２２を第２連結部材１２からはずす。
【００３６】
（実施形態２）
次に、本発明の好ましい別の実施形態２について説明する。
図１２は、本発明の別の好ましい実施形態２を示しており、この例では第１線状部材２１と第２線状部材２２の交差角度θが、９０度の角度ではなく例えば６０度である。図６に示す例では、第１はめ込み保持部５１と２つの第１通し穴４１の配列方向と、第２はめ込み保持部７１と２つの第１通し穴６１の配列方向が直交しているが、図１２の例では直交はしておらず例えば６０度で交差している。図１２の実施形態の他の部分と図１の実施形態の対応する部分は同じであるので、同じ符号を記す。
図１３は、本発明の好ましい別の実施形態３を示しており、表示体の掲示装置１の第１線状部材２１の各フック２３と第２線状部材２２の各フック２３は、それぞれ１枚の表示体１００を例えば吊り糸２４を用いて吊り下げて掲示することができる。図１３の例では、４つの表示体１００が第１線状部材２１と第２線状部材２２の各フック２３を用いて、４方向に向けて吊り下げられている。ただし、必要に応じて、例えば第１線状部材２１の各フック２３だけにそれぞれ表示体１００を吊り下げても良いし、第２線状部材２２の各フック２３だけにそれぞれ表示体１００を吊り下げても良い。
【００３７】
本発明は、上記実施形態に限定されず、特許請求の範囲を逸脱しない範囲で種々の変更が可能である。
図示した固定部２００は、例えばワイヤーやひもなどの線状の部材であっても良いし、壁面や天井などの建物の構造の一部であっても良く、特に限定されるものではない。
例えば、マーカ５２，５３、７２，７３は突起物ではなくて、色彩を施したり、シールを貼ることで形成しても良い。支持部材２０を構成している第１線状部材２１と第２線状部材２２は、図２に示すような断面円形の棒状体ではなく、断面矩形の部材などが採用でき、長手方向の長さや形状は任意に選択できる。表示体の形状は、薄板状のものに限らず、立体形状のものであっても良い。
【００３８】
第１線状部材２１と第２線状部材２２の断面形状に合わせて、第１はめ込み保持部５１と第２はめ込み保持部７１の形状と、第１通し穴４１と第２通し穴６１の形状も代えるか、あるいは代えずにそのまま使用することもできる。第１線状部材２１と第２線状部材２２は、同じ長さであっても異なる長さであっても良い。
【００３９】
第１連結部材と第２連結部材は、円盤状のものでなくても、長方形や正方形あるいは楕円形状等他の形状であっても良い。図示例では、第１連結部材１１に凹部を設け、第２連結部材１２には凸部としての爪部を設けているが、第１連結部材１１に爪部を設け、第２連結部材１２には凹部を設けても良い。凹部と爪部の組の数は、４つに限らず、２つであっても３つであっても、あるいは５つ以上であっても良い。
【００４０】
使用する線状部材は、必要に応じて１本だけでも良い。例えば第１連結部材側に２本の線状部材を保持し、第２連結部材側には１本の線状部材を保持しても、線状部材の数は２本に限らず３本以上であっても良い。また、例えば第２連結部材に２本の線状部材をはめ込んで保持するようにして、第１連結部材は第２連結部材を被覆するだけにしても良い。
【図面の簡単な説明】
【００４１】
【図１】本発明の表示体の掲示装置の好ましい実施形態１を示している斜視図であり、複数の表示体を実際に同時に吊した状態で掲示している図である。
【図２】図１の表示体の掲示装置の構造例を示す斜視図である。
【図３】第１連結部材と第２連結部材を一方向から見た斜視図である。
【図４】第１連結部材と第２連結部材を一方向とは反対の方向から見た斜視図である。
【図５】第１連結部材と第２連結部材の分解斜視図である。
【図６】第１線状部材と第２線状部材をそれぞれはめ込んだ第１連結部材と第２連結部材の分解斜視図である。
【図７】（Ａ）第１連結部材の側面図、（Ｂ）第１連結部材の別の側面図である。
【図８】（Ａ）第１連結部材の平面図、（Ｂ）第１連結部材の内面図である。
【図９】（Ａ）第２連結部材の内面図、（Ｂ）第２連結部材の底面図である。
【図１０】（Ａ）第２連結部材の側面図、（Ｂ）第２連結部材の別の側面図、（Ｃ）第２連結部材のＢ−Ｂ断面図である。
【図１１】実施形態１が、４つの表示体を掲示している様子を示す斜視図である。
【図１２】本発明の表示体の掲示装置の好ましい別の実施形態２を示す図である。
【図１３】本発明の表示体の掲示装置の好ましい別の実施形態３を示す図である。
【符号の説明】
【００４２】
１    表示体の掲示装置
１１  第１連結部材  
１２  第２連結部材  
２０  支持部材  
２１  第１線状部材  
２２  第２線状部材
３０  係合部
４０  凹部
４１  第１通し穴（保持部）
５１  第１はめ込み保持部（保持部）
５２，５３  位置決め用のマーカ
６０  爪部
６１  第２通し穴（保持部）
７１  第２はめ込み保持部（保持部）
７２，７３  位置決め用のマーカ
１００  表示体
２００  固定部
【図１】
0004718968.tif 000002
【図２】
0004718968.tif 000003
【図３】
0004718968.tif 000004
【図４】
0004718968.tif 000005
【図５】
0004718968.tif 000006
【図６】
0004718968.tif 000007
【図７】
0004718968.tif 000008
【図８】
0004718968.tif 000009
【図９】
0004718968.tif 000010
【図１０】
0004718968.tif 000011
【図１１】
0004718968.tif 000012
【図１２】
0004718968.tif 000013
【図１３】
0004718968.tif 000014